(57)【特許請求の範囲】
【請求項１】
頂部壁部分と、該頂部壁部分から垂れ下がり且つ雌ねじ成形部を有する環状スカート部分とを具備しており、
前記環状スカート部分は、円周方向に隔てられ交番する溝及びランドの列を規定していて、該溝及びランドは一緒に、前記スカート部分の内側面の円周方向に隔てられた複数の強化用リブを規定していて、これによって蓋のコラム強度を高め、前記円周方向に隔てられた溝は前記雌ねじ成形部の下に延び且つ雌ねじ成形部から隔てられ、前記溝の各々は前記ランドの各々の円周方向の寸法より大きな円周方向の寸法を有し、
前記スカート部分は、スカート部分の外面上に円周方向に隔てられた複数の把持用刻み付き部を規定しており、前記把持用刻み付き部は、前記スカート部分の該内面により規定される前記円周方向に隔てられた溝と夫々互いに相対するように整列され、前記溝の各々が前記スカート部分の自由縁部で開いていることを特徴とする高コラム強度を示す成形されたプラスチックの蓋。
【請求項２】
前記強化リブは垂直に配向されて蓋の垂直方向軸線に略平行であることを特徴とする請求項１記載の成形されたプラスチックの蓋。
【請求項３】
前記溝の各々が略半円柱状の形状を有することを特徴とする請求項１記載の成形されたプラスチックの蓋。
【請求項４】
前記スカート部分が、スカート部分の自由縁部に環状ビード部分を有し、前記把持用刻み付き部が前記環状ビード部分から上方へ延びることを特徴とする請求項１記載の成形されたプラスチックの蓋。
【請求項５】
頂部壁部分と、該頂部壁部分から垂れ下がり且つ雌ねじ成形部を有する環状スカート部分とを具備しており、
前記スカート部分は、円周方向に隔てられ交番する溝及びランドの列を規定しており、該溝及びランドは一緒に、前記雌ねじ成形部の下で前記スカート部分の内側面の円周方向に隔てられて垂直に延びる複数の強化用リブを規定しており、前記溝の各々は前記スカート部分の自由縁部で開いており、
前記スカート部分は、スカート部分の外面上に円周方向に隔てられた複数の把持用刻み付き部を規定しており、前記把持用刻み付き部は、前記スカート部分の該内面により規定される前記円周方向に隔てられた溝と夫々互いに相対するように整列され、
前記溝の各々は前記ランドの各々の円周方向の寸法より大きな円周方向の寸法を有することを特徴とする成形されたプラスチックの蓋。
【請求項６】
前記スカート部分が、スカート部分の自由縁部に環状ビード部分を有し、前記把持用刻み付き部が前記環状ビード部分から上方へ延びることを特徴とする請求項５記載の成形されたプラスチックの蓋。
【発明の詳細な説明】
【技術分野】
【０００１】
本発明は一般的に、ポリマー材料で成形されたプラスチックの蓋に関し、特に必要な蓋の強度を示しながら、比較的広い直径でサイズ取り出来て、プラスチック材料の使用を浪費しないように構成される成形されたプラスチックの蓋に関する。
【背景技術】
【０００２】
ポリプロピレン及びポリエチレンのようなポリマー材料で成形されたプラスチックの蓋は、飲料及び食料製品を有する容器との組み合わされた使用に広く行き渡った応用を見出している。即座にアクセス出来るのが望ましい食料製品用の容器のような或る適用には、６３〜１１０ｍｍの値の直径を有する比較的大径の蓋が好適に使われる。
【０００３】
一般的に、この種の蓋は、一体型のいじくり発覚型くすね防止バンド等を有しておらず、代わりに、自由縁部で終わる雌ねじ付の環状スカート部分を有するのが普通である。従来、蓋の視覚的アッピールを高めて消費者による把持を容易にするねじ成形部の下のスカート部分は、蓋が所要されるように機能するために一般的に必要であるよりも重く作られ、従って、割高であった。しかしながら、この下部スカート部分は、組み合わせられる内部コアピンからの蓋の“抜き取り”を可能にし、すなわち、折り畳み式コア、又は蓋の相対的なねじ弛め動作に頼ることなしに、コアピンからの蓋の取外しを行うのに充分な強度を示すように構成されるのが好適である。
【０００４】
本発明は、比較的複雑な折り畳み式コアに頼ることなく、成形時に、関連するコアピンからの抜き取りを可能にすることにより効率的な成形を実現する、高カラム強度を示す成形されたプラスチックの蓋を提供する。同時に、蓋は、なお所要される強度を示しながら、より少ないプラスチック材料の使用しか好適に必要とせず、かくして更に、費用効率性の高い成形と使用を実現する。
【発明の概要】
【０００５】
本発明は、高カラム強度を示す成形されたプラスチックの蓋に向けられており、そこでは蓋の下部スカート部分の内側面に垂直方向には配向された複数の強化リブが設けられている。好ましい形式では、該強化用のリブの形状は、スカート部分上に外部把持用刻み付き部を規定する外部溝とそれぞれ整合して設けられるように形成されている。この構成により、蓋は組み合わせられるコアピンからの”抜き取り”による効率的な成形を可能にするのに充分な強度を好適に示し、かくして効率的で費用効率性の高い成形と使用を実現する。
【０００６】
図示される実施例に依れば、本発明のプラスチックの蓋は、円形頂部壁部分と、スカート壁部分から垂れ下がる環状スカート部分とを具備し、スカート部分が雌ねじ成形部を備えている。雌ねじ成形部は、組み合わされる容器の同様な雄ねじ成形部と協同して係合するために構成されている。
【０００７】
本発明に依れば、該スカート部分は、円周方向に隔てられた交番する溝とランドとの列を規定しており、該溝とランドは、該スカート部分の内側面上に円周方向に隔てられた垂直方向に延びる複数の強化用リブを一緒に規定している。該強化用リブは、雌ねじ成形部の下のスカート部分の内側面上に配置されており、該内側面の該溝が該スカート部分の自由縁部で好適に開いている。
【０００８】
好ましい形式では、蓋のスカート部分は、スカート部分の外面上に円周方向に隔てられた複数の把持用刻み付き部を規定している。気付かれるように、該把持用刻み付き部は、該スカート部分の内面により規定される該円周方向に隔てられた溝と夫々整合している。該外部把持用刻み付き部と、内部溝により規定される強化用リブとのこのようは配置により、蓋のスカート部分のカラム強度は好適に高められ、組み合わせられるコアピンからの蓋の”抜き取り”を可能にすることにより効率的な成形を実現する。
【０００９】
図示された実施例に依れば、該内部溝は、形状が略半円柱状で、組み合わせられるランドの各々の円周方向の寸法より大きい円周方向の寸法を有している。
【００１０】
図示される実施例では、蓋のスカート部分は、スカート部分の自由縁部に環状のビード部分を有している。該環状ビード部は該スカート部分の該自由縁部に環状の突き出し面を規定し、該スカート部分の外部、面上の把持用刻み付き部が該環状ビード部から上方に好適に延びている。
【００１１】
本発明の他の特徴と利点は、下記の詳細な説明、付随する図面、そして附属する請求項から容易に明らかになろう。
【図面の簡単な説明】
【００１２】
【図１】本発明の原理を具体化し、蓋の内部を図示する成形されたプラスチックの蓋の斜視図である。
【図２】図１で図示される蓋のスカート部分の部分断面図である。
【図３】図１の蓋のスカート部分の円周部分を示す更に進んだ部分断面図である。
【実施例１】
【００１３】
本発明は種々の形式の実施例を可能とするが、現在の好適な実施例が図面に示され、以下に説明され、そこでは本開示が本発明の一例として考えられるべきであり、本発明が図示の特定の実施例に限定されるように意図されていないと云う理解に基づいている。
【００１４】
図面を参照すると、本発明の原理を具体化する成形されたプラスチックの蓋１０が図示されている。当業者により知られているように、プラスチックの蓋１０は、ポリプロピレン又はポリエチレンのようなポリマー材料で効率的に形成され、インジェクションモールディング又はコンプレッションモールディングにより形成できる。気付かれるように、蓋１０は６３ｍｍ〜１１０ｍｍの値の、比較的大きい直径を示すよう構成できる。しかしながら、ここに開示される原理と両立する蓋は他の寸法にもできる。
【００１５】
組み合わせられる容器の好ましい閉じ方を実現するために、蓋１０は円形の頂部壁部分１２と、該頂部壁部分から垂れ下がる環状のスカート部分１４とを具備する。或る応用では、蓋１０は適当な、別のシール用ライナー要素（図示されない）を備えてもよい。
【００１６】
スカート部分１４は螺旋状の雌ねじ成形部１６を有し、該雌ねじ成形部は組み合わせられる容器の同様の雄ねじ成形部と係合するために構成される。この構成により、容器に対する蓋の相対的な回転動作が適用される。
【００１７】
本発明に依れば、スカート部分１４は好適に軽量化され、プラスチック材料を浪費しない形状である一方、効率的な蓋の成形を実現するに必要な強度を示している。このために、スカート部分１４の内面には、円周方向に隔てられた溝１８と、関連したランドとの列が形成されており、これら溝１８とランドが一緒になって該スカート部分１４の内側面に円周方向に隔てられた複数の強化リブ２０を形成している。好適な形式に依れば、強化リブ２０は垂直に配向され、蓋１０の垂直軸線に対して略平行である。
【００１８】
現在の好適な形式に依れば、各溝１８は、溝１８の隣接する一つずつを分離する関連す
る各ランドの円周方向の寸法より大きい円周方向の寸法を有する。各溝１８は略半円柱状の形状を有するのが好ましく、各溝がスカート部分１４の下部の自由縁部で開いているのが好ましい。
【００１９】
蓋１０の所要されるコラム強度は、該スカート部分１４の外面に設けられた円周方向に隔てられた複数の把持用の刻み付き部２２の提供により更に高められる。図３に図示されるように、把持用の刻み付き部２２は、スカート部分１４の内面により規定される円周方向に隔てられた溝１８とそれぞれ整合されるのが好適である。この内部の溝１８と、強化リブ２０、そして外側の刻み付き部２２のこの特定の機械は、蓋１０のスカート部分１４の所要される強度特性を提供する一方、消費者による蓋の取外し及び適用を容易にするように所要される外側把持面を設けている。
【００２０】
推奨される形式では、蓋１０のスカート部１４は、スカート部１４の自由縁部に環状ビード部分２４を有する。ビード部分２４は、成形時に、関連するコアピンからの成形された蓋１０の”抜き取り”をもたらすために力が印加される下部突き出し面を形成する。図示されるように、外側の把持用刻み付き部２２は、環状ビード部分２４から上方に好適に延びている。
【００２１】
前記説明から、本発明の新規な概念の真の精神と範囲を逸脱することなく多くの変形と変更ができることが明らかであろう。ここに図示された特定の実施例に関する何等かの限定は意図されておらず、或いはそのように推定されるべきでないことが理解されるべきである。この開示は、請求項の範囲内に入る全てのこのような変形を、附属する請求項により、カバーするように意図されている。
【図１】
0005693847.tif 000002
【図２】
0005693847.tif 000003
【図３】
0005693847.tif 000004